(57)【要約】【課題】リハビリテーションでのモチベーションの低下を防止する。【解決手段】リハビリテーション支援システムは、患者の属性及び経過から、患者が次の回復水準に進むまでに要する日数を予測する予測モデルを用いて、対象患者の属性及び経過から、対象患者が次の回復水準に到達するまでの日数を予測する手段と、予測した日数と、対象患者及び過去の複数患者それぞれの属性及び経過とに基づいて、対象患者と類似する類似患者を過去の複数患者から抽出する手段と、予測した日数と、類似患者が次の回復水準に達した時点の身体運動を示す動画像とを出力する手段と、を備える。【選択図】図１
2019175497.tif 000002
【特許請求の範囲】
【請求項１】
患者の属性及び経過から、前記患者が次の回復水準に進むまでに要する日数を予測する予測モデルを用いて、対象患者の前記属性及び前記経過から、前記対象患者が次の回復水準に到達するまでの日数を予測する手段と、
前記予測した日数と、前記対象患者及び過去の複数患者それぞれの前記属性及び前記経過とに基づいて、前記対象患者と類似する類似患者を前記過去の複数患者から抽出する手段と、
前記予測した日数と、前記類似患者が前記次の回復水準に達した時点の身体運動を示す動画像とを出力する手段と、
を備えるリハビリテーション支援システム。
【請求項２】
前記属性は、患者の性別、年齢、身長、体重、前記患者に対して診断された傷病名、前記患者に対する診療行為、前記患者に対して処方又は投与された医薬品の１つ以上を含む、
請求項１に記載のリハビリテーション支援システム。
【請求項３】
前記経過は、患者の各回復水準の期間、前記患者の前記各回復水準におけるリハビリテーション実施日数又は前記患者の前記各回復水準におけるリハビリテーション実施回数の１つ以上を含む、
請求項１又は２に記載のリハビリテーション支援システム。
【請求項４】
前記類似患者は、前記対象患者と前記属性及び前記経過が類似した患者である、
請求項１から３のいずれか一項に記載のリハビリテーション支援システム。
【請求項５】
患者の属性及び経過から、前記患者が次の回復水準に進むまでに要する日数を予測する予測モデルを用いて、対象患者の前記属性及び前記経過から、前記対象患者が次の回復水準に到達するまでの日数を予測し、
前記予測した日数と、前記対象患者及び過去の複数患者それぞれの前記属性及び前記経過とに基づいて、前記対象患者と類似する類似患者を前記過去の複数患者から抽出し、
前記予測した日数と、前記類似患者が前記次の回復水準に達した時点の身体運動を示す動画像とを出力する、
リハビリテーション支援方法。
【請求項６】
患者の属性及び経過から、前記患者が次の回復水準に進むまでに要する日数を予測する予測モデルを用いて、対象患者の前記属性及び前記経過から、前記対象患者が次の回復水準に到達するまでの日数を予測する処理と、
前記予測した日数と、前記対象患者及び過去の複数患者それぞれの前記属性及び前記経過とに基づいて、前記対象患者と類似する類似患者を前記過去の複数患者から抽出する処理と、
前記予測した日数と、前記類似患者が前記次の回復水準に達した時点の身体運動を示す動画像とを出力する処理と、
をコンピュータに実行させるためのリハビリテーション支援プログラム。
【発明の詳細な説明】
【技術分野】
【０００１】
本発明は、リハビリテーションを支援するリハビリテーション支援システム、リハビリテーション支援方法およびリハビリテーション支援プログラムに関する。
【背景技術】
【０００２】
患者のリハビリテーション（リハビリ）に対するモチベーションを維持・向上させて、患者の回復促進を支援する技術が求められている。
【０００３】
患者のモチベーションが低下する要因の一つとして、患者がリハビリ効果を実感できないことが挙げられる。例えば、「リハビリをこのまま続けることで、日常生活ができる水準まで回復します」と医師が患者に情報を提供しても、患者はリハビリを具体的にどれだけ続ければよいかがわからず、またリハビリを継続しても特に最初のうちは回復状態が見えにくくその効果を実感できない。
【０００４】
そのため、まずは、具体的にいつまでリハビリが必要かを患者に伝えることが重要である。しかし、例えば、リハビリを終えるまで数ヵ月間等の長い期間かかる場合に、そのような長期のリハビリ期間を医師が患者に情報提供しても、患者にとっては、数ヵ月先のリハビリ完了までの期間は長すぎたり、今の状態からリハビリ完了となる状態までの変化が大きすぎるなどで、日々のリハビリによる回復を実感することは難しい。
【０００５】
リハビリ効果の確認に関する技術として、例えば、特許文献１には、患者のリハビリ実行データと、過去の患者等のリハビリ実績情報とを比較して、患者の回復度（全体のうちのどの程度の状態にいるのか）を表示する技術が記載されている。
【０００６】
また、例えば特許文献２には、同症例の人が動作する時の身体の動きの情報を含む複数の観察データを解析して、患者毎に次の期間基準日における身体の動きである目標値を定める技術が記載されている。なお、特許文献２に記載の技術は、患者の症状から見える現在の回復度合に、対象患者と症例や性別や年齢や障害重症度が近い過去の観察データから求めた期間基準日ごとの平均回復度合を足すことで、患者一人一人に適した目標値を定めることができる、としている。
【先行技術文献】
【特許文献】
【０００７】
【特許文献１】２０１３−１６１３１５号公報
【特許文献２】２００１−０００４２０号公報
【発明の概要】
【発明が解決しようとする課題】
【０００８】
患者のモチベーション低下を防止するためには、リハビリ完了までの期間よりも短い期間でのリハビリ効果に関する情報を患者に提供することが重要である。
【０００９】
一般に、リハビリは、回復状態に合わせて複数の段階に分けられている。また、各段階には、回復状態に関連した明確な基準が設けられることが多い。このようにリハビリ期間を予め明確な基準が定められた複数の段階に分けることで、段階を進むときに患者は回復を実感できる。
【００１０】
しかし、リハビリ期間が複数の段階に分かれていても、やはり次の段階に進むまでにどれだけ時間がかかるのかがわからない、次の段階におけるリハビリ行為に対して特に最初のうちは回復状態が見えにくくその効果を実感できないといった同様の問題が生じる。したがって、患者に、今いる段階から次の段階に進むまでにかかる回数や日数等の情報や、次の段階に進むまでの期間よりも短い期間におけるリハビリ効果に関する情報を提供することが望まれる。
【００１１】
例えば、次のリハビリ実施日または次の段階にすすむまでの間の任意の日にどれだけ回復が見込まれるかといった回復状態の予測を精度よくかつ具体的に患者に示すことができれば、患者はリハビリ効果を実感しやすくなり、モチベージョンの維持・向上につながると考えられる。
【００１２】
なお、特許文献１に記載の技術は、１０段階中の６段階目にいるなどといった、患者の今現在の回復度合い（リハビリ効果）を具体的に把握するための技術であって、その後の状態を予測するものではない。
【００１３】
なお、特許文献２に記載の技術を利用すれば、患者毎に求めた期間基準日ごとの目標値を、当該期間基準日の当該患者の回復状態の予測結果として示すことはできる。しかし、特許文献２に記載の技術は、目標値を定めることを目的としており、患者の期間基準日ごとの状態を精度よく予測しようというものではない。例えば、特許文献２に記載の技術では、患者ごとの回復スピードの違いを全く考慮していない。
【００１４】
患者の回復スピードは、症例や性別や年齢や障害重症度等といった診断結果や患者の基本的な属性だけに依存するものではない。例えば、患者の回復スピードは、患者のモチベーションや元々の身体能力といった目に見えにくい性質によっても異なるものと考えられる。
【００１５】
したがって、単純に、対象患者の症例や性別や年齢や障害重症度と類似する別の患者群を抽出して、抽出した患者群の実績情報を利用した場合、誤差が非常に大きくなることが想定される。なお、特許文献２には、医師やトレーナーの判断で患者の状態や実績に応じて平均回復度合に１以上又は１以下の係数を掛けて目標値を補正（はりあい補正）することも記載されている。しかし、その都度医師やトレーナーの判断を要するのでは手間がかかるし、医師やトレーナーは何を基準に補正をしてよればよいのかが明確でない。
【００１６】
なお、上記の問題は、リハビリテーションに限らず、能力や状態の段階的な変化を伴う個物（個人や個々のモノ）の行為または事象であって、比較的長い期間継続され、かつ途中経過が把握しにくい行為または事象に関わる人（行為者や観察者等）のモチベーションに対しても同様に考えられる。
【００１７】
そこで、本発明は、リハビリテーションを含む、能力や状態の段階的な変化を伴う個物の行為または事象に関わる人のモチベーションの低下を防止できるリハビリテーション支援システム、方法およびプログラムを提供することを目的とする。
【課題を解決するための手段】
【００１８】
本発明によるリハビリテーション支援システムは、患者の属性及び経過から、患者が次の回復水準に進むまでに要する日数を予測する予測モデルを用いて、対象患者の属性及び経過から、対象患者が次の回復水準に到達するまでの日数を予測する手段と、予測した日数と、対象患者及び過去の複数患者それぞれの属性及び経過とに基づいて、対象患者と類似する類似患者を過去の複数患者から抽出する手段と、予測した日数と、類似患者が次の回復水準に達した時点の身体運動を示す動画像とを出力する手段と、を備える。
【００１９】
また、本発明によるリハビリテーション支援方法は、患者の属性及び経過から、患者が次の回復水準に進むまでに要する日数を予測する予測モデルを用いて、対象患者の属性及び経過から、対象患者が次の回復水準に到達するまでの日数を予測し、予測した日数と、対象患者及び過去の複数患者それぞれの属性及び経過とに基づいて、対象患者と類似する類似患者を過去の複数患者から抽出し、予測した日数と、類似患者が次の回復水準に達した時点の身体運動を示す動画像とを出力する。
【００２０】
また、本発明によるリハビリテーション支援プログラムは、患者の属性及び経過から、患者が次の回復水準に進むまでに要する日数を予測する予測モデルを用いて、対象患者の属性及び経過から、対象患者が次の回復水準に到達するまでの日数を予測する処理と、予測した日数と、対象患者及び過去の複数患者それぞれの属性及び経過とに基づいて、対象患者と類似する類似患者を過去の複数患者から抽出する処理と、予測した日数と、類似患者が次の回復水準に達した時点の身体運動を示す動画像とを出力する処理と、をコンピュータに実行させる。
【発明の効果】
【００２１】
本発明によれば、リハビリテーションを含む、能力や状態の段階的な変化を伴う個物の行為または事象に関わる人のモチベーションの低下を防止できる。
【図面の簡単な説明】
【００２２】
【図１】第１の実施形態の分析システムの構成例を示すブロック図である。
【図２】過去個物情報記憶手段１１１に記憶される情報の例を示す説明図である。
【図３】次段階予測手段１０１の構成例を示すブロック図である。
【図４】第１の実施形態の分析システムの動作の一例を示すフローチャートである。
【図５】第２の実施形態のリハビリ支援システムが備える分析装置のハードウェア構成例を示す構成図である。
【図６】第２の実施形態のリハビリ支援システムが備える分析装置の構成例を示すブロック図である。
【図７】第２の実施形態のリハビリ支援システムが備える分析装置の動作の一例を示すフローチャートである。
【発明を実施するための形態】
【００２３】
実施形態１．
次に、本発明の実施形態を図面を参照して説明する。図１は、本発明の第１の実施形態にかかる分析システムの構成例を示すブロック図である。本実施形態の分析システムは、リハビリテーションを含む、能力または状態の段階的な変化を伴う個物の行為または現象に関するデータの分析を行うシステムである。リハビリテーション以外の該当行為または該当現象の例としては、例えば、スポーツ分野等における練習や、生物分野や自然科学分野等における生体や任意の個物（個体、液体、気体を問わず）の実験や観察等が挙げられる。以下、本実施形態で分析の対象にする、能力または状態の段階的な変化を伴う個物の行為または現象を、単に対象行為または対象現象という場合がある。
【００２４】
図１に示す分析システム１００は、過去個物情報記憶手段１１１と、対象個物情報記憶手段１１２と、次段階予測手段１０１と、類似個物抽出手段１０２と、予測観察情報出力手段１０３とを備える。
【００２５】
過去個物情報記憶手段１１１は、対象個物の対象行為または対象現象と同じ基準で判断される段階を少なくとも有する行為または現象を経験した過去の複数個物の各々について、当該個物の行為または現象において所定単位ごとの観察情報を含む観察履歴情報と、当該個物の変化する能力または状態に関連する情報であって少なくとも時系列要素を含む情報である経過情報と、当該個物の基本属性を示す基本属性情報とを記憶する。
【００２６】
図２は、過去個物情報記憶手段１１１が記憶する情報の例を示す説明図である。なお、図２（ａ）に示す例は、過去個物情報記憶手段１１１が記憶する基本属性情報の例であり、図２（ｂ）に示す例は、過去個物情報記憶手段１１１が記憶する観察履歴情報および経過情報の例である。なお、図２（ｂ）には、観察履歴情報と経過情報とを１つのテーブルにまとめて記憶する例が示されている。
【００２７】
図２（ａ）に示すように、過去個物情報記憶手段１１１は、基本属性情報として、個物を識別する個物ＩＤと当該個物の基本的な属性の各内容とを対応づけた情報を記憶してもよい。また、図２（ｂ）に示すように、過去個物情報記憶手段１１１は、観察履歴情報および経過情報として、個物を識別する個物ＩＤと、当該個物の対象行為または対象現象の各所定単位における観察情報と、当該個物における観察情報の識別番号（図中の”データｎｏ”）と、そのときの日付等の時間情報と、そのときの所定単位の数である単位数と、そのときの段階とを対応づけた情報を記憶してもよい。このように、少なくとも観察情報を取得したときの単位数と対応づけて、そのときの段階を記憶しておけば、当該個物が経た対象行為または対象現象における段階の経過の様子（各段階にどれだけの単位数を要したかや、ある段階からどの段階に移行したか等）を知ることができる。以下、本実施形態において経過情報といった場合には、観察情報を取得したときの単位数と、当該個物が経た対象行為または対象現象における段階の情報とを対応づけた情報を指す。なお、段階の情報は、当該個物の変化する能力または状態に関連する情報の一例である。経過情報における時系列要素は、例えば、個物の能力や状態の変化の経過を示す情報であってもよい。一例として、個物の変化する能力または状態に関連する情報（対応期間中の行為や事象の情報や、今いる段階の情報等）を、時間の情報や行われた行為の回（何回目か）等と対応づけたものであってもよい。上記の行為には、例えば、リハビリテーションであれば、診断行為、リハビリ行為、診察行為といった広く診療に関わる行為が含まれる。
【００２８】
ここで、個物の基本属性は、その個物が有する主要な属性であればよい。なお、基本属性を、対象個物が当然有する属性としてもよい。例えば、対象個物が人物であれば、基本属性の例として性別や年齢もしくは年代等が挙げられる。また、対象個物が物であれば、その物が属するグループやその物のサイズや色や組成等が挙げられる。また、対象個物が機械であれば、型式や製造年月日等が挙げられる。
【００２９】
また、対象行為または対象現象における所定単位は、対象行為または対象事象を分ける段階よりも細かく定められた、経過の基準とされる単位とする。例えば、所定単位は、個物の時間経過によって段階が進むような行為や事象の場合、１日や１時間といった期間に関する単位であってもよいし、個物に行うまたは個物が行う何らかの行為によって段階が進むような場合には１回といった行為数に関する単位であってもよい。なお、複数の行為の組み合わせを１つの行為として数えるような場合には、０．５回といった単位も考えられる。他にも、１グラムや、１ｃｍといった個物に対して施した物理量に関する単位が挙げられる。なお、時間に関する単位と他の単位（行為数や他の物理量に対する単位）とを組み合わせたものを、所定単位としてもよい。そのような単位であれば、例えば、何回目の行為の数日後といった指定を行うことも可能である。
【００３０】
また、観察情報は、個物から観察される情報であって、対象行為または対象現象において変化する能力または状態に関する情報であれば特に問わない。観察情報は、例えば、個物における変化部位を含む領域を撮影した情報であってもよい。なお、観察情報は、画像や映像に限らず、観察によって得られる数値等の可観測情報であってもよい。
【００３１】
なお、対象行為が人物の身体運動のリハビリテーションである場合、観察情報は、客観的な回復度合いを表す情報が好ましい。そのような観察情報の一例として、患者の身体運動を示す動作シーケンス情報が挙げられる。ここで、動作シーケンス情報は、連続する身体の運動を示す情報のことである。動作シーケンス情報は、例えば、身体運動の動画像であってもよいし、動画像を静止画像データに変換した後に関節位置情報等に変換した人物スケルトンの情報を連続して並べた情報等であってもよい。
【００３２】
対象個物情報記憶手段１１２は、対象個物のこれまでの経過情報と、基本属性情報とを記憶する。対象個物情報記憶手段１１２が記憶する経過情報や基本属性情報は、過去個物情報記憶手段１１１が記憶する経過情報や基本属性情報と同じ形式でよい。なお、その場合に、対象個物情報記憶手段１１２は、図２（ｂ）に示すような、対象個物の対象行為または対象現象のこれまでの各所定単位における観察情報を含む観察履歴情報を記憶してもよい。
【００３３】
次段階予測手段１０１は、過去の複数個物の経過情報および基本属性情報と、対象個物の経過情報および基本属性情報とに基づいて、対象個物が次の段階に進むまでにかかる単位数を予測する。
【００３４】
類似個物抽出手段１０２は、次段階予測手段１０１による予測結果と、過去個物情報記憶手段１１１に記憶されている過去の複数個物の経過情報および基本属性情報と、対象個物情報記憶手段１１２に記憶されている対象個物の経過情報および基本属性情報とに基づいて、対象個物と最も類似する過去の個物を抽出する。
【００３５】
例えば、類似個物抽出手段１０２は、基本属性と予測結果が示す対象個物が今いる段階から次の段階までにかかる単位数の点で対象個物と最も類似する過去の個物を抽出してもよい。また、例えば、類似個物抽出手段１０２は、抽出する際に、さらに対象個物の今いる段階（現段階）に至るまでの、対象個物と過去個物との間の変化スピード（段階遷移スピード）や段階の経過順序等の類否を加味してもよい。また、例えば、類似個物抽出手段１０２は、抽出する際に、さらに対象個物の現段階に至ったときの、対象個物と過去個物との間の観察情報の類否も加味してもよい。
【００３６】
予測観察情報出力手段１０３は、抽出された過去の個物の観察状態履歴情報を利用して、対象個物が次の段階に進むまでの間に含まれる任意の所定単位経過時において、対象個物から観察されると予測される観察情報である予測観察情報を出力する。なお、予測観察情報出力手段１０３は、例えば、指定された単位経過時における予測観察情報を生成する場合において、当該予測観察情報として、抽出された過去の個物の観察履歴情報に含まれる、対象個物の現段階と同じ段階中に観察された観察情報であって指定された単位経過時に相当する時に観察された観察情報（以下、対応観察情報という）をそのまま出力してもよい。また、予測観察情報出力手段１０３は、例えば、対応観察情報から、対象患者の最新の観察情報を得たときに相当するときからの変化の度合いを抽出し、抽出した変化の度合いを対象患者の最新の観察情報に反映した情報を生成して出力してもよい。
【００３７】
また、図３は、次段階予測手段１０１のより詳細な構成例を示すブロック図である。図３に示すように、次段階予測手段１０１は、属性データ生成手段２０１と、予測モデル学習手段２０２と、予測手段２０３とを含んでいてもよい。
【００３８】
属性データ生成手段２０１は、少なくとも経過情報および基本属性情報を含む、入力された任意の患者に関する所定形式の情報から、当該患者の属性データであって、所定の複数の要素からなるベクトルによって表される属性データを生成する。
【００３９】
予測モデル学習手段２０２は、過去の複数患者の経過情報および基本属性情報を基に、任意患者の経過情報および基本属性情報から、任意患者が次の段階に進むまでにかかるリハビリ回数または期間単位数を出力する予測モデルを学習する。また、予測モデル学習手段２０２は、属性データ生成手段２０１によって生成される、過去の複数患者の各々の属性データと、当該患者が各段階で要したリハビリ回数または期間単位数の情報との対応情報を学習データにして、予測モデルを学習してもよい。
【００４０】
また、予測モデル学習手段２０２は、予測モデルとして、段階ごとに他の段階への遷移条件を定めた段階遷移モデルであって、患者の基本属性と当該患者の前段階までの遷移スピードとに応じた段階遷移モデルを学習してもよい。
【００４１】
予測手段２０３は、予測モデル学習手段２０２が学習した予測モデルを用いて、対象患者が次の段階に進むまでにかかるリハビリ回数または期間単位数を予測する。また、予測手段２０３は、属性データ生成手段２０１によって生成される、対象患者の属性データを予測モデルに入力して得られる、対象患者が次の段階に進むまでにかかるリハビリ回数または期間単位数を予測結果としてもよい。
【００４２】
本実施形態において、過去個物情報記憶手段１１１および対象個物情報記憶手段１１２は、例えば、記憶装置によって実現される。また、次段階予測手段１０１、類似個物抽出手段１０２および予測観察情報出力手段１０３は、例えば、プログラムに従って動作するプロセッサや該プロセッサを備える情報処理装置によって実現される。
【００４３】
次に、本実施形態の動作を説明する。図４は、本実施形態の分析システムの動作の一例を示すフローチャートである。なお、図４に示す例は、ステップＳ１０１が開始される前に、過去個物情報記憶手段１１１には対象行為または対象事象を経験した過去の複数個物の基本属性情報と観察履歴情報と経過情報とが少なくとも記憶されており、対象個物情報記憶手段１１２には既に対象個物の基本属性情報と経過情報とが少なくとも記憶されているものとする。なお、ステップＳ１０１は、例えば、ユーザからの予測指示等によって開始される。
【００４４】
図４に示す例では、まず、次段階予測手段１０１が、過去の複数個物の経過情報および基本属性情報と、対象個物の経過情報および基本属性情報とに基づいて、対象個物が次の段階に進むまでにかかる所定単位の数を予測する（ステップＳ１０１）。
【００４５】
次に、類似個物抽出手段１０２が、ステップＳ１０１での予測結果と、過去の複数個物の経過情報および基本属性情報と、対象個物の経過情報および基本属性情報とに基づいて、対象個物と最も類似する過去の個物を抽出する（ステップＳ１０２）。
【００４６】
次に、予測観察情報出力手段１０３が、ステップＳ１０２で抽出された過去の個物の観察状態履歴情報を利用して、予測観察情報を出力する（ステップＳ１０３）。
【００４７】
以上のように、本実施形態によれば、対象個物の対象行為または対象現象における、次の段階に進むまでの間に含まれる任意の所定単位経過時の観察情報について、精度の高い情報を提供することができる。したがって、対象行為または対象事象に関わる人物がそのような情報を確認することで、より短い期間での効果を実感できるのでモチベーションの維持または向上ができる。
【００４８】
それは、本実施形態の分析システムが、基本属性だけでなく、基準が比較的明確な段階という区切り情報と、そのような段階を経る個物ごとの変化スピードに関する情報（時系列要素を含む情報）を好適に利用して抽出される類似個物の観察情報を利用して予測観察情報を出力するからである。
【００４９】
また、類似個物の観察情報を利用すれば、高精度で、具体的かつ一体的な変化を示す情報を簡単に得ることができる。
【００５０】
なお、上記の実施形態における対象行為がリハビリテーションである場合、過去個物情報記憶手段１１１は、過去の複数個物（複数患者）の各々について、さらに当該患者に対して行われた診療に関する情報である臨床情報を記憶してもよい。また、対象個物情報記憶手段１１２は、対象個物（対象患者）について、さらに当該対象患者に対して行われた診療に関する情報である臨床情報を記憶してもよい。そのような場合において、次段階予測手段１０１は、さらに過去の複数患者の臨床情報と対象患者の臨床情報とに基づいて、対象患者が次の段階に進むまでにかかるリハビリ回数または期間単位数を予測してもよい。
【００５１】
実施形態２．
次に、本実施形態の第２の実施形態について、図面を参照して説明する。本実施形態は、上記の分析システムをリハビリテーション支援システムに適用したものである。
【００５２】
また、本実施形態のリハビリテーション支援システムは、対象患者の、次のリハビリ実施日の動作シーケンス情報を予測して、表示する機能を有する。具体的には、リハビリテーション支援システムが備える分析装置は、（１）対象患者の回復状態が、対象患者の現在の回復水準に初めて至った日から、次の回復水準までさらに回復するために必要なリハビリ実施日数を予測する機能を有する。さらに、分析装置は、（２）上記の予測結果と、対象患者がリハビリ治療を必要とする原因となった傷病発症後から現在の回復水準に初めて至った日までに患者に実施された診療行為や医薬品処方および診断された傷病名等の、診療に関する情報（以下、臨床履歴情報という）等の特徴を表す属性データと、過去に同様のリハビリを実施して完了した患者（以下、過去患者という）がそれぞれ、対象患者の現在の回復水準に初めて至った日から次の回復水準までさらに回復するために必要としたリハビリ実施日数と、各過去患者がリハビリ治療を必要とする原因となった傷病発症後から対象患者の現在の回復水準に初めて至った日までの当該過去患者の臨床履歴情報等の特徴を表す属性データとを用いて、過去患者群の中から、対象患者のリハビリ実施日数と属性データの両方とが最も似ている過去患者を抽出する機能を有する。さらに、分析装置は、（３）抽出した過去患者が、対象患者の現在の回復水準に初めて至った日から対象患者の次のリハビリ実施日に相当するときに実施したリハビリでの動作シーケンス情報を抽出する機能を有する。
【００５３】
なお、上記の（２）に関して、臨床履歴情報は、対象患者の現在の回復水準より１つ前段階の回復水準に初めて至った日から現在の回復水準に初めて至った日までの臨床履歴情報であってもよい。また、過去患者のリハビリ実施日数としては、さらに、対象患者の現在の回復水準に至るより前の段階の各回復水準に初めて至るまで（この場合、その前段階の回復水準に初めて至った日からとする）に必要としたリハビリ実施日数を用いてもよい。同様に、対象患者の、現在の回復水準に至るより前の段階の各回復水準に初めて至るまでに必要としたリハビリ実施日数を用いてもよい。以下、対象患者の現在の回復水準を第ｐの回復水準といい、次の回復水準を第ｐ＋１の回復水準という場合がある。
【００５４】
図５は、本実施形態のリハビリテーション支援システムが備える分析装置のハードウェア構成の一例を示す構成図である。図５に示す分析装置１は、ＣＰＵ（Ｃｅｎｔｒａｌ  Ｐｒｏｃｅｓｓｉｎｇ  Ｕｎｉｔ）１００１、メモリ１００２、出力装置１００３、入力装置１００４およびネットワークインタフェース１００５を含む。
【００５５】
メモリ１００２は、例えば、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、補助記憶装置（ハードディスク等）等である。出力装置１００３は、例えば、ディスプレイ装置やプリンタ等のように、情報を出力する装置である。入力装置１００４は、例えば、キーボードやマウス等のように、ユーザ操作の入力を受け付ける装置である。ネットワークインタフェース１００５は、例えば、インターネット、ＬＡＮ（Ｌｏｃａｌ  Ａｒｅａ  Ｎｅｔｗｏｒｋ）、公衆回線網、無線通信網またはこれらの組合せ等によって構成されるネットワークに接続するインタフェースである。
【００５６】
また、図６は、本実施形態のリハビリテーション支援システムが備える分析装置の機能面での構成例を示すブロック図である。図６に示すように、分析装置１は、リハビリ回数予測部１１と、類似患者抽出部１５と、動作情報抽出部１６と、予測結果出力部１７とを含む。
【００５７】
この場合、分析装置１の上記機能ブロックの各々は、メモリ１００２に格納されるコンピュータ・プログラムを読み込んで実行するとともに他の各部を制御するＣＰＵ１００１によって構成される。なお、分析装置１およびその各機能ブロックのハードウェア構成は、上記の構成に限定されない。
【００５８】
次に、分析装置１に入力される情報について説明する。
【００５９】
分析装置１には、対象患者に関して、少なくとも現在の回復水準より１つ前の段階である第ｐ−１の回復水準に初めて至った日から現在の回復水準である第ｐの回復水準に初めて至った日までの臨床履歴情報が入力される。なお、臨床履歴情報は、リハビリ治療を必要とする原因となった傷病発症後から第ｐの回復水準に初めて至った日までの臨床履歴情報であってもよい。その場合、回復水準期間ごとに臨床履歴情報が分けられていることが好ましい。本実施形態では、各回復水準期間を、後段の回復水準の添え字ｉ（ｉ＝１〜段階数に相当する整数）を使って第ｉの回復水準期間という場合がある。例えば、リハビリ治療を必要とする原因となった傷病発症後から第１の回復水準に初めて至った日までの期間の場合、「第１の回復水準期間」という。また、例えば、第ｐ−１の回復水準に初めて至った日から第ｐの回復水準に初めて至った日までの期間の場合、「第ｐの回復水準期間」という。
【００６０】
また、分析装置１には、対象患者に関して、年代性別等を表す患者基本情報が入力される。また、分析装置１には、対象患者に関して、第ｐの回復水準に初めて至った日から現在までに経過した日数（以下、第ｐ水準における経過日数という）とが入力される。
【００６１】
また、分析装置１には、過去患者の各々に関して、少なくとも第ｐの回復水準期間の臨床履歴情報と、患者基本情報と、少なくとも第ｐ＋１の回復水準期間の各リハビリ実施日における当該患者の身体運動の様子を表す動作シーケンス情報群と、第ｐ＋１の回復水準期間中のリハビリ実施日数とが入力されてもよい。
【００６２】
上記の対象患者の臨床履歴情報には、例えば、対象患者の少なくとも第ｐの回復水準期間中に対象患者に対して診断された傷病名の履歴である傷病名履歴情報と、同期間中に対象患者に対して実施された診療行為の履歴である診療行為履歴と、同期間中に対象患者に対して処方または投与された医薬品の履歴である医薬品履歴情報とが含まれていてもよい。以下、対象患者の臨床履歴情報を、対象患者臨床履歴情報という場合がある。
【００６３】
過去患者の臨床履歴情報には、過去患者の少なくとも第ｐの回復水準期間中に当該過去患者に対して診断された傷病名の履歴である傷病名履歴情報と、同期間中に当該過去患者に対して実施された診療行為の履歴である診療行為履歴と、同期間中に当該過去患者に対して処方または投与された医薬品の履歴である医薬品履歴情報とが含まれていてもよい。以下、各過去象患者の臨床履歴情報を過去患者臨床履歴情報という場合がある。
【００６４】
ここで、診療行為には、診断のための検査、傷病を治すための治療、手術、リハビリ行為等、広く診療に関わる行為を含む。なお、傷病名履歴情報は、対応期間中に診断された傷病名を、事例列順に並べた情報であってもよい。また、診療行為履歴は、対応期間中に行われた診療行為を、時系列順に並べた情報であってもよい。また、医薬品履歴情報は、対応期間中に処方または投与された医薬品を時系列順に並べた情報であってもよい。
【００６５】
ここで、診療行為履歴には、患者が経た各回復水準期間におけるリハビリ実施日数を特定可能な情報が含まれているものとする。なお、診療行為にはリハビリ行為が含まれていることから、リハビリ行為を行った日時とそのときの患者の回復水準の情報とを対応づけて記憶しておけば、上記のリハビリ実施日数を特定可能である。また、対象患者の診療行為履歴から第ｐ水準における経過日数を特定可能な場合には、第ｐ水準における経過日数を別途入力しなくてもよい。
【００６６】
なお、対象患者が、いずれの回復水準にも到達していない場合、すなわちリハビリ治療を必要とする原因となった傷病発症後の段階にいる場合には、上記の「第ｐの回復水準期間」を、「リハビリ治療を必要とする原因となった傷病発症後から回復状態に影響する情報が別途定めた所定の条件を満たした日までの期間」と読み替えてもよい。
【００６７】
また、患者基本情報は、患者の基本的な属性の情報である。患者の基本的な属性は、例えば、性別、年齢、身長、体重等である。以下、対象患者の基本情報を対象患者基本情報といい、過去患者の基本情報を対象患者基本情報という場合がある。
【００６８】
動作シーケンス情報群は、例えば、過去患者ごと、および少なくとも第ｐ＋１の回復水準期間中のリハビリ実施日ごとに、リハビリでの患者の動作シーケンス情報をまとめた情報であってもよい。なお、各動作シーケンス情報には、リハビリ実施日の情報が付与されているものとする。以下、過去患者の動作シーケンス情報群を、過去患者動作シーケンス履歴情報という場合がある。
【００６９】
また、過去患者の第ｐ＋１の回復水準期間中のリハビリ実施日数は、過去患者の第ｐの回復水準に初めて至った日から、次の第ｐ＋１の回復水準までさらに回復するために必要であったリハビリ実施日数である。なお、過去患者の診療行為履歴から当該リハビリ実施日数を特定可能な場合には、当該リハビリ実施日数を別途入力しなくてもよい。
【００７０】
ここで、回復水準の例としては、中枢神経麻痺の運動パターンによる評価法によるステージが挙げられる。本例場合、ステージ１（完全麻痺）からステージ６（分離運動可能）までの６段階で回復状態を評価して得られたステージの情報を用いることができる。
【００７１】
また、上記の臨床履歴情報は、第１の実施形態の経過情報および臨床情報に相当する。また、上記の基本情報は、第１の実施形態の基本属性情報に相当する。また、上記の動作シーケンス履歴情報は、第１の実施形態の観察状態履歴情報に相当する。
【００７２】
また、本実施形態のリハビリ回数予測部１１は、第１の実施形態の次段階予測手段１０１に相当する。また、本実施形態の属性データ生成部１２は、第１の実施形態の属性データ生成手段２０１に相当する。本実施形態の予測モデル学習部１３は、第１の実施形態の予測モデル学習手段２０２に相当する。本実施形態の予測部１４は、第１の実施形態の予測手段２０３に相当する。本実施形態の類似患者抽出部１５は、第１の実施形態の類似個物抽出手段１０２に相当する。本実施形態の動作情報抽出部１６および予測結果出力部１７は、第１の実施形態の予測観察情報出力手段１０３に相当する。
【００７３】
なお、分析装置１の各機能ブロックは、上述した入力情報として、メモリ１００２にあらかじめ記憶された情報を取得してもよい。また、例えば、各機能ブロックは、上述した入力情報として、入力装置１００４または可搬型記憶媒体（図示せず）から入力される情報を取得してもよい。また、例えば、各機能ブロックは、上述した入力情報を、ネットワークインタフェース１００５を介して接続される他の装置から取得してもよい。また、各機能ブロックは、取得した入力情報を、メモリ１００２に格納し、格納した入力情報を用いて動作するよう構成される。
【００７４】
次に、分析装置１の各機能ブロックについて説明する。
【００７５】
本例のリハビリ回数予測部１１は、属性データ生成部１２と、予測モデル学習部１３と、予測部１４とを含み、これらが協働して、対象患者の第ｐ＋１の回復水準期間中に必要とされるリハビリ実施日数を算出する。
【００７６】
属性データ生成部１２は、対象患者臨床履歴情報および対象患者基本情報から対象患者のリハビリ治療における特徴を表した属性データと、過去患者臨床履歴情報および対象患者基本情報から各過去患者のリハビリ治療における特徴を表した属性データとを作成する。
【００７７】
予測モデル学習部１３は、各過去患者の属性データと、各過去患者の第ｐ＋１の回復水準期間リハビリ実施日数を入力として、患者の属性データから、当該患者の第ｐ＋１の回復水準期間中に必要とされるリハビリ実施日数を算出する予測モデルを学習する。
【００７８】
予測部１４は、学習済みの予測モデルに、対象患者の属性データを入力することにより、対象患者の第ｐ＋１の回復水準期間中に必要とされるリハビリ実施日数を予測する。
【００７９】
類似患者抽出部１５は、予測された対象患者の第ｐ＋１の回復水準期間中に必要とされるリハビリ実施日数と、対象患者の属性データとを用いて、リハビリ実施日数と属性データの両方とが最も似ている患者を、過去患者群の中から抽出する。
【００８０】
動作情報抽出部１６は、抽出された過去患者が、第ｐの回復水準に初めて至った日から、対象患者の次のリハビリ実施日に相当するときに実施したリハビリでの動作シーケンス情報を抽出する。
【００８１】
予測結果出力部１７は、動作情報抽出部１６によって抽出した動作シーケンス情報を、対象患者の次のリハビリ実施日における動作シーケンスの予測結果として表示する。
【００８２】
なお、各機能ブロックのより具体的な例は後述する。また、図示省略しているが、リハビリテーション支援システムは、分析装置１に入力する情報を記憶するデータベース等を備えていてもよい。
【００８３】
次に、本実施形態の分析装置１の動作を説明する。図７は、本実施形態の分析装置１の動作の一例を示すフローチャートである。
【００８４】
図７に示す例では、まず、分析装置１の各機能ブロック（例えば、リハビリ回数予測部１１と、類似患者抽出部１５と、動作情報抽出部１６と、予測結果出力部１７）が、必要となる入力情報を取得する（ステップＳ１１）。既に説明したように、入力情報には、対象患者基本情報と、対象患者臨床履歴情報と、過去患者基本情報群と、過去患者臨床履歴情報群と、過去患者動作シーケンス履歴情報と、対象患者の第ｐ水準における経過日数と、過去患者の第ｐ＋１の回復水準期間中のリハビリ実施日数とが含まれる。ステップＳ１１で取得された入力情報は、メモリ１００２に格納される。
【００８５】
次に、リハビリ回数予測部１１の属性データ生成部１２は、対象患者のリハビリ治療における特徴を表した属性データと、各過去患者のリハビリ治療における特徴を表した属性データを作成する（ステップＳ１２）。
【００８６】
次に、予測モデル学習部１３は、各過去患者の属性データと、各過去患者の第ｐ＋１の回復水準期間中に必要とされたリハビリ実施日数とを入力として、予測モデルを学習する（ステップＳ１３）。なお、ステップＳ１２までの処理は、ステップＳ１４の予測に先だって行われていればよい。
【００８７】
予測部１４は、学習された予測モデルに、対象患者の属性データを入力することにより、対象患者の第２の回復水準期間中に必要とされるリハビリ実施日数を予測する（ステップＳ１４）。
【００８８】
次に、類似患者抽出部１５は、ステップＳ１４の予測結果と、対象患者の属性データとを用いて、属性データと第ｐ＋１の回復水準期間中に必要とされるリハビリ実施日数との点で最も似ている患者を、過去患者群の中から抽出する（ステップＳ１５）。
【００８９】
次に、動作情報抽出部１６は、抽出された過去患者が、第ｐの回復水準に初めて至った日から対象患者の次のリハビリ実施日に相当するときに実施したリハビリでの動作シーケンス情報を抽出する（ステップＳ１６）。
【００９０】
予測結果出力部１７は、動作情報抽出部１６によって抽出した動作シーケンス情報を、対象患者の次のリハビリ実施日における動作シーケンスの予測結果として表示する（ステップＳ１７）。
【００９１】
次に、各機能ブロックの動作をより詳細に説明する。
【００９２】
［属性作成フェーズ（ステップＳ１２）］
属性データ生成部１２は、例えば、次のようにして、対象患者および各過去患者の属性データを作成してもよい。属性データ生成部１２は、まず、対象患者基本情報、対象患者臨床履歴情報、過去患者基本情報と過去患者臨床履歴情報をメモリ１００２から読み出す。ここで、過去患者数が合わせてＮ人あるとする（Ｎは１以上の整数）。また、過去患者のうちｎ番目の過去患者の属性データをＸ＿ｎと表す（ｎ＝１，・・・，Ｎ）。属性データＸ＿ｎは、複数個の要素からなるベクトルとして表される。
【００９３】
例えば、属性データの要素数が７であるとする。この場合、属性データ生成部１２は、過去患者の１人目の属性データとして、例えば、Ｘ＿１＝（０，０，３，２，１，０，０）と表されるデータを生成する。これは、ｎ＝１である過去患者について、属性項目１の値が０、属性項目２の値が０、属性項目３の値が３、属性項目４の値が２、属性項目５の値が１、属性項目６の値が０、属性項目７の値が０、であることを示している。作成された属性データは、メモリ１００２に格納される。
【００９４】
属性データ生成部１２は、さらに、対象患者についても同様に、Ｘ’という属性データを作成して、メモリ１００２に格納する。なお、Ｘ’の「’」は対象患者であることを表す記号であって、Ｘ’はＸ＿ｎと同様、複数個の要素からなるベクトルとして表される。
【００９５】
ここで、ある過去患者の属性データの各要素は、その過去患者の過去患者基本情報または過去患者臨床履歴情報に含まれる項目や該項目から算出される情報等に対応する。同様に、対象患者の属性データの各要素は、その対象患者基本情報または対象患者臨床履歴情報に含まれる項目や該項目から算出される情報等に対応する。例えば、基本情報の項目に性別、年齢、身長、体重があったとする。そのような場合に、属性データの要素として、例えば、性別が男性であれば１を女性であれば０を示す項目と、年齢の数値を示す項目と、身長の数値を示す項目と、体重の数値を示す項目を含んでいてもよい。
【００９６】
また、ある過去患者の属性データの要素の１つは、その過去患者の過去患者臨床履歴情報によって示される、所定期間中の当該過去患者の特定の傷病名の件数やその割合であってもよい。ここで、所定期間は、当該過去患者の第ｐの回復水準期間中であってもよいし、リハビリスタート時から第ｐの回復水準に至るまでの全期間や各回復水準期間や、リハビリスタート時から第ｐの回復水準における、対象患者の現在の状態に相当する時点まで（第ｐの回復水準に到達した日から○日経過後等）であってもよい。例えば、件数は、特定の傷病名が過去患者臨床履歴情報の所定期間中に含まれている回数であってもよい。また、例えば件数の割合は、（特定の傷病名が過去患者臨床履歴情報の所定期間中に含まれている回数）／リハビリ日数、で表されるものであってもよい。ここで、リハビリ日数は所定期間の日数であってもよいし、所定期間中のリハビリ実施回数であってもよい。なお、属性データ生成部１２は、所定期間の例として挙げた期間の全てに対して、件数やその割合を求めることも可能である。
【００９７】
また、同様に、対象患者の属性データの要素の１つは、対象患者臨床履歴情報によって示される、所定期間中の当該対象患者の特定の傷病名の件数やその割合であってもよい。
【００９８】
また、ある過去患者の属性データの要素の１つは、その過去患者の過去患者臨床履歴情報によって示される、所定期間中の当該過去患者の特定の診療行為名の件数やその割合であってもよい。
【００９９】
また、同様に、対象患者の属性データの要素の１つは、対象患者臨床履歴情報によって示される、所定期間中の当該対象患者の特定の医薬品名の件数やその割合であってもよい。
【０１００】
また、ある過去患者の属性データの要素の１つは、その過去患者の過去患者臨床履歴情報によって示される、所定期間中の当該過去患者の特定の診療行為名の件数やその割合であってもよい。
【０１０１】
また、同様に、対象患者の属性データの要素の１つは、対象患者臨床履歴情報によって示される、所定期間中の当該対象患者の特定の医薬品名の件数やその割合であってもよい。
【０１０２】
また、ある過去患者の属性データの要素の１つは、その過去患者の過去患者臨床履歴情報等によって示される、当該過去患者の第ｐの回復水準までの各回復水準期間や、各回復水準期間中に必要とされたリハビリ実施回数であってもよい。
【０１０３】
また、同様に、対象患者の属性データの要素の１つは、対象患者臨床履歴情報等によって示される、当該対象患者の第ｐの回復水準までの各回復水準期間や、各回復水準期間中に必要とされたリハビリ実施回数であってもよい。
【０１０４】
このようにして、属性データ生成部１２は、各過去患者および対象患者について、対象患者基本情報、対象患者臨床履歴情報、過去患者基本情報、過去患者臨床履歴情報における各項目に記載された情報や、該情報を基に算出される所定の情報の発生頻度や、所定の行為や状態にかかった時間・回数等の統計情報を要素とする属性データを生成する。
【０１０５】
［予測モデル学習フェーズ（ステップＳ１３）］
予測モデル学習部１３は、例えば、次のようにして予測モデルを学習してもよい。すなわち、予測モデル学習部１３は、まず各過去患者の属性データ、および、各過去患者の第ｐ＋１の回復水準期間中に必要とされたリハビリ実施日数をメモリ１００２から読み出す。
【０１０６】
ここでも、過去患者ｎの属性データを、Ｘ＿ｎ（ｎ＝１，・・・，Ｎ）と表す。また、過去患者ｎのｊ番目の要素を、Ｘ＿ｎｊ（ｊ＝１，・・・，Ｍ）と表す。Ｍは、属性データの要素数である。また、過去患者ｎの第ｐ＋１の回復水準期間中に必要とされたリハビリ実施日数を、Ｙ＿ｎと表す。
【０１０７】
予測モデルは、例えば次式（１）で表される。
【０１０８】
Ｙ＿ｉ＝ｆ（Ｘ＿ｉ）  ・・・（１）
【０１０９】
ここで、ｆ（）は、任意の患者ｉの属性データＸ＿ｉを入力として、当該患者ｉが第ｐ＋１の回復水準期間中に必要とされるリハビリ実施日数を出力する関数である。なお、患者ｉには、過去患者および対象患者が含まれる。また、予測モデルで求める値は、Ｙ＿ｉと表される。予測モデル学習部１３は、Ｙ＿ｎ＝ｆ（Ｘ＿ｎ），（ｎ＝１，・・・，Ｎ）を算出するための関数モデルｆ（）を定めてそのパラメータを学習する。
【０１１０】
以下では、予測モデル学習部１３が、予測モデルとして、任意のＸ＿ｉに対して、Ｙ＿ｉを出力可能な線形回帰モデルを用いる例を示す。線形回帰モデルは、Ｘ＿ｉから、Ｙ＿ｉを予測する問題によく適用されるモデルである。以下、線形回帰の数理的構造について説明する。
【０１１１】
ここで、Ｘを属性データに対応するＭ次元の説明変数とする。また、Ｙを数値とする。また、ＷをＭ次元の重みベクトルとする。この場合、線形回帰モデルは、次式（２）で表される。なお、上付きのＴは、ベクトルの転置を表す。
【０１１２】
【数１】
2019175497.tif 000003
【０１１３】
なお、式（２）における｛ＷＴＸ｝の部分が、式（１）におけるｆ（）に相当する。今、学習データとして、Ｎ人の過去患者について、｛Ｘ＿ｎ，Ｙ＿ｎ｝（ｎ＝１，・・・，Ｎ）が与えられたとする。この場合、予測モデル学習部１３は、線形回帰を利用して、次式（３）の目的関数を最適化することによって、式（２）で示したモデルにおけるパラメータＷの値を算出する。ただし、Ｘ＿ｎおよびＹ＿ｎは、それぞれＸおよびＹの実現値とする。
【０１１４】
【数２】
2019175497.tif 000004
【０１１５】
なお、λは、尤度（右辺第１項）と罰則項（右辺第２項）とのバランスを調整するパラメータである。また、||Ｗ||は、ベクトルＷのノルム（長さ）である。通常は、Ｌ１ノルムまたはＬ２ノルムが用いられる。また、Ｌ（Ｗ）は、Ｗに関する凸関数であり、勾配法に準じた方法によって最大化することが可能である。
【０１１６】
予測モデル学習部１３は、Ｌ（Ｗ）を最大化するパラメータＷの値を求める。以下、求めたＷの値をＷｃと表記する。予測モデル学習部１３は、求めたＷｃを、式（２）で示したモデルのパラメータＷとする。また、予測モデル学習部１３は、求めたＷｃをメモリ１００２に記憶させる。
【０１１７】
［予測フェーズ（ステップＳ１４）］
予測部１４は、例えば、例えば、次のようにして予測を行ってもよい。すなわち、予測部１４は、まず学習済みの予測モデル（Ｗｃの値が適用された式（２）等）の情報と、対象患者に対応した属性データを、メモリ１００２から読み出す。なお、予測モデルの情報は、例えば、Ｗｃの値であってもよい。また、ここでは、読み出された対象患者の属性データをＸ’とする。
【０１１８】
そして、予測部１４は、読み出した情報によって特定される予測モデルと、属性データＸ’と用いて、対象患者が第ｐ＋１の回復水準期間中に必要とされるリハビリ実施日数Ｙ’を、次式（４）により計算する。
【０１１９】
【数３】
2019175497.tif 000005
【０１２０】
そして、予測部１４は、計算したＹ’を、メモリ１００２に記憶する。ここで、Ｙ’は、対象患者の現在の状態（第ｐの回復水準）から、次の回復状態（第ｐ＋１の回復水準）に達するまでにかかるであろうリハビリ実施日数を表す。なお、Ｙ’は、小数点以下を四捨五入して、整数に変換してもよい。
【０１２１】
［類似患者抽出フェーズ（ステップＳ１５）］
類似患者抽出部１５は、例えば、次のようにして対象患者に類似する過去患者を抽出する。すなわち、類似患者抽出部１５は、各過去患者の第ｐ＋１の回復水準期間中に必要とされるリハビリ実施日数と属性データの組と、対象患者の第ｐ＋１の回復水準期間中に必要とされるリハビリ実施日数（すなわち予測結果）と属性データの組とで類似度を求め、最も類似した対象患者と最も似ている過去患者を抽出してもよい。
【０１２２】
ここでは、類似患者抽出部１５は、まず各過去患者の第ｐ＋１の回復水準期間中に必要とされるリハビリ実施日数Ｙ＿ｎと属性データＸ＿ｎの組み合わせである｛Ｘ＿ｎ，Ｙ＿ｎ｝（ｎ＝１，・・・，Ｎ）と、対象患者の第ｐ＋１の回復水準期間中に必要とされるリハビリ実施日数Ｙ’と属性データＸ’の組み合わせ｛Ｘ’，Ｙ’｝とをメモリ１００２から読み出す。
【０１２３】
そして、類似患者抽出部１５は、｛Ｘ＿ｎ，Ｙ＿ｎ｝（ｎ＝１，・・・，Ｎ）の中から、｛Ｘ’，Ｙ’｝との類似度が最も高い組合せを算出し、その組合せのｎを求めて、求めたｎの値をメモリ１００２に書きだしてもよい。以下、求めたｎの値を、ｎｃと表記する。
【０１２４】
以下に、類似度の計算方法に関して具体的に説明する。まず、類似患者抽出部１５は、過去患者のデータ組｛Ｘ＿ｎ，Ｙ＿ｎ｝（ｎ＝１，・・・，Ｎ）から、Ｘ＿ｎ：Ｘ＿ｎｊ（ｊ＝１，・・・，Ｍ）とＹ＿ｎとを複数個の要素からなるベクトルとしたベクトルデータをＶ＿ｎ＝［Ｘ＿ｎ１，Ｘ＿ｎ２，・・・，Ｘ＿ｎＭ，Ｙ＿ｎ］（ｎ＝１，・・・，Ｎ）を生成する。同じく、対象患者のデータ組｛Ｘ’，Ｙ’｝からも、Ｖ’＝［Ｘ’＿１，Ｘ’＿２，・・・，Ｘ’＿Ｍ，Ｙ’］を生成する。
【０１２５】
そして、類似患者抽出部１５は、Ｖ＿ｎ（ｎ＝１，・・・，Ｎ）について、Ｖ’との類似度を算出する。ここで、算出された類似度を、Ｓ＿ｎ（ｎ＝１，・・・，Ｎ）と表す。例えば、類似患者抽出部１５は、Ｓ＿ｎを、以下の式（５）に示すように求めてもよい。
【０１２６】
【数４】
2019175497.tif 000006
【０１２７】
ここで、＜Ａ，Ｂ＞はベクトルＡとベクトルＢの内積を表す。式（５）で求められるＳ＿ｎは、０から１の間の値をとり、２つのベクトルＶ’，Ｖ＿ｎの向きが等しいほど１に近づき、高類似を表す。類似患者抽出部１５は、Ｓ＿ｎが最も高い値を示したｎの値をｎｃとする。なお、類似度Ｓ＿ｎが同じ患者が複数いた場合には、それぞれを類似患者ｎｃ１，ｎｃ２，・・・としてもよい。
【０１２８】
［動作情報抽出フェーズ（ステップＳ１６）］
動作情報抽出部１６は、抽出された過去患者が、第ｐの回復水準に初めて至った日から対象患者の次のリハビリ実施日に相当するときに実施したリハビリでの動作シーケンス情報を抽出する。動作情報抽出部１６は、例えば、対象患者の第ｐ水準における経過日数に１を足した日数（以下、該当日数という）を算出し、抽出された類似患者ｎｃの、第ｐの回復水準に初めて至った日から上記の該当日数分を経過したとき、に実施したリハビリの動作シーケンス情報を抽出してもよい。なお、対象患者の第ｐ水準における経過日数に代えて、対象患者の第ｐの回復水準におけるリハビリ実施回数（以下、第ｐ水準における実施回数という）と最後の実施日からの経過日数とを用いてもよい。その場合、動作情報抽出部１６は、抽出された類似患者ｎｃの、第ｐの回復水準に初めて至った日からリハビリを第ｐ水準における実施回数分行った後、対象患者の最後の実施日からの経過日数分を経過したとき、に実施したリハビリの動作シーケンス情報を抽出してもよい。
【０１２９】
ここでは、動作情報抽出部１６は、まず、対象患者の第ｐ水準における経過日数をメモリ１００２から読み出す。ここで、対象患者の対象患者の第ｐ水準における経過日数を、Ｔと表記する。
【０１３０】
動作情報抽出部１６は、抽出された類似患者ｎｃが、過去に、第ｐの回復水準に初めて至った日からＴ＋１日後にリハビリを実施した際の、動作シーケンス情報を抽出する。
【０１３１】
［予測結果表示フェーズ（ステップＳ１７）］
予測結果出力部１７は、動作情報抽出部１６によって抽出された動作シーケンス情報を、対象患者の次のリハビリ実施日における動作シーケンス情報の予測結果として表示する。表示先は、例えば、メモリ１００２、出力装置１００３またはネットワークインタフェース１００５を介して接続された他の装置等である。
【０１３２】
なお、上記の説明では、予測モデル学習部１３が、予測モデルとして、線形回帰モデルを学習する例を中心に説明した。これに限らず、予測モデル学習部１３は、任意患者の属性データとリハビリ日数やリハビリ回数等の予測対象とされる単位の実績値のペアを学習データとして、予測対象患者の属性データとペアになる上記単位の値を予測するための他のモデルを学習してもよい。
【０１３３】
また、上記の各実施形態において、分析システムや分析装置の各機能ブロックが、同一のコンピュータ装置上で実現される例を中心に説明した。これに限らず、分析装置は、有線または無線で接続された２つ以上の物理的に分離した装置上に分散されて実現されてもよい。
【０１３４】
また、上記の各実施形態において、分析システムや分析装置の各機能ブロックが、記憶装置またはＲＯＭに記憶されたコンピュータ・プログラムを実行するＣＰＵによって実現される例を中心に説明した。これに限らず、各機能ブロックの一部、全部、または、それらの組合せが専用のハードウェアにより実現されていてもよい。
【０１３５】
また、上記の各実施形態において、各フローチャートを参照して説明した分析方法を説明した。本発明は、該分析方法にかかる各機能ブロックの動作を、本発明のコンピュータ・プログラムとしてコンピュータ装置の記憶装置（記憶媒体）に格納しておいてもよい。そして、該コンピュータ・プログラムをコンピュータ装置のＣＰＵが読み出して実行するようにしてもよい。すなわち、本発明の他の側面としては、上記の方法を少なくとも１つのコンピュータに実行させるプログラムであってもよいし、このようなプログラムを記録したコンピュータが読み取り可能な記録媒体であってもよい。この記録媒体は、非一時的な有形の媒体を含む。
【０１３６】
このコンピュータプログラムは、コンピュータにより実行されたとき、コンピュータに、分析装置上で、その制御方法を実施させるコンピュータプログラムを含む。
【０１３７】
なお、以上の構成要素の二に野組み合わせ、本発明の表現を方法、装置、システム、記録媒体、コンピュータプログラムなどの間で変換したものもまた、本発明の態様として有効である。
【０１３８】
また、本発明の各種の構成要素は、必ずしもここに独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等でもよい。
【０１３９】
また、本発明の方法およびコンピュータプログラムには複数の手順を順番に記載してあるが、その記載の順番は複数の手順を実行する順番を限定するものではない。このため、本発明の方法およびコンピュータプログラムを実施する時には、その複数の手順の順番は内容的に支障のない範囲で変更することができる。
【０１４０】
さらに、本発明の方法およびコンピュータプログラムの複数の手順は個々に相違するタイミングで実行されることに限定されない。このため、ある手順の実行中に他の手順が発生すること、ある手順の実行タイミングと他の手順の実行タイミングとの一部ないし全部が重複していること、等でもよい。
【０１４１】
以上、実施形態および実施例を参照して本願発明を説明したが、本願発明は上記実施形態および実施例に限定されるものではない。本願発明の構成や詳細には、本願発明のスコープ内で当業者が理解し得る様々な変更をすることができる。
【産業上の利用可能性】
【０１４２】
リハビリテーションに限らず、能力や状態の段階的な変化を伴う個物の行為または現象に関するデータを、変化の様子と対応づけて扱う用途等に好適に適用可能である。
【符号の説明】
【０１４３】
１  分析装置
１１  リハビリ回数予測部
１２  属性データ生成部
１３  予測モデル学習部
１４  予測部
１５  類似患者抽出部
１６  動作情報抽出部
１７  予測結果出力部
１００  分析システム
１０１  次段階予測手段
１０２  類似個物抽出手段
１０３  予測観察情報出力手段
１１１  過去個物情報記憶手段
１１２  対象個物情報記憶手段
２０１  属性データ生成手段
２０２  予測モデル学習手段
２０３  予測手段
１００１  ＣＰＵ
１００２  メモリ
１００３  出力装置
１００４  入力装置
１００５  ネットワークインタフェース
【図１】
2019175497.tif 000007
【図２】
2019175497.tif 000008
【図３】
2019175497.tif 000009
【図４】
2019175497.tif 000010
【図５】
2019175497.tif 000011
【図６】
2019175497.tif 000012
【図７】
2019175497.tif 000013